(57)【要約】【課題】ウェブサイトの内容とともにウェブサイトの利用状況を表示するための画像情報を生成することができる画像情報生成装置及び画像情報生成プログラムを提供する。【解決手段】画像情報生成サーバ装置１は、ウェブサイトの閲覧要求を受け付けてウェブサイトに対応するサイト情報１００Ａを取得するサイト情報取得手段１０Ｂと、サイト情報取得手段１０Ｂが取得したサイト情報１００Ａに記述された他のサイト情報に関連する予め定めた期間の通信履歴情報１００Ｃを取得する通信履歴情報取得手段１０Ｃと、通信履歴情報１００Ｃの通信履歴に基づいて生成画像情報１１Ｂを生成する画像情報生成手段１０Ｄと、サイト情報１００Ａの他のサイト情報に関連する記述の一部を、生成画像情報１１Ｂを用いて置き換えることで編集するサイト情報編集手段１０Ｅとを有する。【選択図】図２
2011059759.tif 000002
【特許請求の範囲】
【請求項１】
ウェブサイトの閲覧要求を受け付けて前記ウェブサイトに対応するサイト情報を取得するサイト情報取得手段と、
前記サイト情報取得手段が取得した前記サイト情報に記述された他のサイト情報に関連する予め定めた期間の通信履歴を含む通信履歴情報を取得する通信履歴情報取得手段と、
前記通信履歴情報取得手段が取得した前記通信履歴情報の通信履歴に基づいて通信状況に応じた画像情報を生成する画像情報生成手段と、
前記サイト情報取得手段が取得した前記サイト情報の前記他のサイト情報に関連する記述の一部又は全部を、前記画像情報生成手段が生成した前記画像情報を用いて置き換えることで編集するサイト情報編集手段とを有する画像情報生成装置。
【請求項２】
前記閲覧要求をした利用者を認証し、前記利用者に関する利用者情報を取得する利用者取得手段をさらに有し、
前記通信履歴情報取得手段は、前記利用者情報に対応づけて前記通信履歴情報を取得し、
前記画像情報生成手段は、前記通信履歴情報及び前記利用者情報に基づいて前記画像情報を生成する請求項１に記載の画像情報生成装置。
【請求項３】
前記画像情報生成手段は、前記予め定めた期間の前記通信履歴の頻度に関連する値に基づいて前記生成する画像情報のサイズ又は数を変更する請求項１又は２に記載の画像情報生成装置。
【請求項４】
コンピュータを、
ウェブサイトの閲覧要求を受け付けて前記ウェブサイトに対応するサイト情報を取得するサイト情報取得手段と、
前記サイト情報取得手段が取得した前記サイト情報に記述された他のサイト情報に関連する予め定めた期間の通信履歴を含む通信履歴情報を取得する通信履歴情報取得手段と、
前記通信履歴情報取得手段が取得した前記通信履歴情報の通信履歴に基づいて通信状況に応じた画像情報を生成する画像情報生成手段と、
前記サイト情報取得手段が取得した前記サイト情報の前記他のサイト情報に関連する記述の一部又は全部を、前記画像情報生成手段が生成した前記画像情報を用いて置き換えることで編集するサイト情報編集手段として機能させるための画像情報生成プログラム。
【発明の詳細な説明】
【技術分野】
【０００１】
本発明は、画像情報生成装置及び画像情報生成プログラムに関する。
【背景技術】
【０００２】
従来の通信状況表示装置として、ウェブサイトの混雑状況を所定のオブジェクトで画像表示するものが知られている（例えば、特許文献１）。
【０００３】
この特許文献１に記載された通信状況表示装置は、複数のウェブサイトのＵＲＬ（Ｕｎｉｆｏｒｍ  Ｒｅｓｏｕｒｃｅ  Ｌｏｃａｔｏｒ）をブックマークとして記憶する記憶部と、ウェブサイトの更新状況や混雑状況を調査し、仮想空間に配置されたウェブサイトに対応するオブジェクトの表示を、調査した更新状況や混雑状況に基づいて変化させて表示する制御部とを有し、利用者にウェブサイトの状態を可視化して表示する。
【先行技術文献】
【特許文献】
【０００４】
【特許文献１】特開２００３−５０８２４号公報
【発明の概要】
【発明が解決しようとする課題】
【０００５】
本発明の目的は、既存のウェブサイトの情報及び既存のウェブブラウザを用いて、ウェブサイトの内容とともにウェブサイトの利用状況を表示するための画像情報を生成することができる画像情報生成装置及び画像情報生成プログラムを提供することにある。
【課題を解決するための手段】
【０００６】
［１］ウェブサイトの閲覧要求を受け付けて前記ウェブサイトに対応するサイト情報を取得するサイト情報取得手段と、前記サイト情報取得手段が取得した前記サイト情報に記述された他のサイト情報に関連する予め定めた期間の通信履歴を含む通信履歴情報を取得する通信履歴情報取得手段と、前記通信履歴情報取得手段が取得した前記通信履歴情報の通信履歴に基づいて画像情報を生成する画像情報生成手段と、前記サイト情報取得手段が取得した前記サイト情報の前記他のサイト情報に関連する記述の一部又は全部を、前記画像情報生成手段が生成した前記画像情報を用いて置き換えることで編集するサイト情報編集手段とを有する画像情報生成装置。
【０００７】
［２］前記閲覧要求をした利用者を認証し、前記利用者に関する利用者情報を取得する利用者取得手段をさらに有し、前記通信履歴情報取得手段は、前記利用者情報に対応づけて前記通信履歴情報を取得し、前記画像情報生成手段は、前記通信履歴情報及び前記利用者情報に基づいて画像情報を生成する請求項１に記載の画像情報生成装置。
【０００８】
［３］前記画像情報生成手段は、前記予め定めた期間の前記通信履歴の頻度に関連する値に基づいて前記生成する画像情報のサイズ又は数を変更する請求項１又は２に記載の画像情報生成装置。
【０００９】
［４］コンピュータを、ウェブサイトの閲覧要求を受け付けて前記ウェブサイトに対応するサイト情報を取得するサイト情報取得手段と、前記サイト情報取得手段が取得した前記サイト情報に記述された他のサイト情報に関連する予め定めた期間の通信履歴を含む通信履歴情報を取得する通信履歴情報取得手段と、前記通信履歴情報取得手段が取得した前記通信履歴情報の通信履歴に基づいて画像情報を生成する画像情報生成手段と、前記サイト情報取得手段が取得した前記サイト情報の前記他のサイト情報に関連する記述の一部又は全部を、前記画像情報生成手段が生成した前記画像情報を用いて置き換えることで編集するサイト情報編集手段として機能させるための画像情報生成プログラム。
【発明の効果】
【００１０】
請求項１又は４に係る発明によれば、ウェブサイトの内容とともにウェブサイトの利用状況を表示するための画像情報を生成することができる。
【００１１】
請求項２に係る発明によれば、認証された他の利用者がウェブサイトを利用している状況を表示するための画像情報を生成することができる。
【００１２】
請求項３に係る発明によれば、ウェブサイトの利用状況に応じて画像を変更して表示するための画像情報を生成することができる。
【図面の簡単な説明】
【００１３】
【図１】図１は、本発明の第１の実施の形態に係る通信状況表示システムの構成例を示す概略図である。
【図２】図２は、画像情報生成サーバ装置の構成例を示す概略図である。
【図３】図３は、利用者情報ＤＢの格納する利用者情報の構成例を示す概略図である。
【図４】図４は、通信履歴情報ＤＢの格納する通信履歴情報の構成例を示す概略図である。
【図５】図５（ａ）は、サイト情報の一例を示す概略図、図５（ｂ）は、サイト情報によって端末装置に表示されるサイト表示画面の一例を示す概略図である。
【図６】図６（ａ）は、編集サイト情報の一例を示す概略図、図６（ｂ）は、編集サイト情報によって端末装置に表示されるサイト表示画面の一例を示す概略図である。
【図７】図７は、画像情報生成サーバ装置の動作例を示すフローチャートである。
【図８】図８（ａ）は、第２の実施の形態に係る編集サイト情報の他の例を示す概略図、図８（ｂ）は、編集サイト情報によって端末装置に表示されるサイト表示画面の他の例を示す概略図である。
【図９】図９は、画像情報生成サーバ装置の動作の他の例を示すフローチャートである。
【発明を実施するための形態】
【００１４】
［第１の実施の形態］
（通信状況表示システムの構成）
図１は、本発明の第１の実施の形態に係る通信状況表示システムの構成例を示す概略図である。
【００１５】
この通信状況表示システム５は、画像情報生成サーバ装置１と、端末装置２と、各装置を通信可能に接続するネットワーク３とを有する。また、画像情報生成サーバ装置１は、サイト情報データベース（以下、「ＤＢ」という。）１Ａと、利用者情報ＤＢ１Ｂと、通信履歴情報ＤＢ１Ｃとに接続される。なお、同図では複数の端末装置２を図示するが、単体であってもよい。
【００１６】
画像情報生成サーバ装置１は、端末装置２から閲覧を要求されたウェブサイトの情報を、そのウェブサイトの混雑状況等の通信状況の情報とともに送信する機能を備えた、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｋ  Ｄｒｉｖｅ）等の電子部品を有する情報処理装置である。
【００１７】
サイト情報ＤＢ１Ａは、ウェブサイトを端末装置２において表示するためのＨＴＭＬ等の言語で記述されたサイト情報を格納する。
【００１８】
利用者情報ＤＢ１Ｂは、端末装置２を利用する利用者の名前等の識別子や所属するグループ等の識別子が記載された利用者情報を格納する。
【００１９】
通信履歴情報ＤＢ１Ｃは、サイト情報ＤＢ１Ａに格納されたサイト情報に対するアクセス等の通信履歴情報を格納する。
【００２０】
端末装置２は、画像情報生成サーバ装置１にネットワーク３を介してアクセスする情報処理装置であり、操作入力用の操作部と、液晶ディスプレイ等の表示部と、ＣＰＵ（Ｃｅｎｔｒａｌ  Ｐｒｏｃｅｓｓｉｎｇ  Ｕｎｉｔ）や記憶部等の電子部品を備えた本体部とを有し、例えば、パーソナルコンピュータやＰＤＡ、携帯電話機等を用いることができる。
【００２１】
ネットワーク３は、ＬＡＮ（Ｌｏｃａｌ  Ａｒｅａ  Ｎｅｔｗｏｒｋ）、インターネット等でもよく、有線、無線は問わない。
【００２２】
図２は、画像情報生成サーバ装置１の構成例を示す概略図である。
【００２３】
画像情報生成サーバ装置１は、ＣＰＵ等から構成され各部を制御するとともに各種のプログラムを実行する制御部１０と、ＨＤＤ（Ｈａｒｄ  Ｄｉｓｃ  Ｄｒｉｖｅ）やフラッシュメモリ等の記憶装置から構成され情報を記憶する記憶部１１と、ネットワーク３を介して外部と通信する通信部１２とを有する。
【００２４】
制御部１０は、後述する画像情報生成プログラム１１Ａを実行することで、利用者認証手段１０Ａと、通信履歴取得手段１０Ｃと、サイト情報取得手段１０Ｂと、画像情報生成手段１０Ｄと、サイト情報編集手段１０Ｅと、送信手段１０Ｆ等として機能する。
【００２５】
利用者認証手段１０Ａは、サイト情報ＤＢ１Ａに格納されるサイト情報に対応したウェブサイトの閲覧のために、画像情報生成サーバ装置１にアクセスした利用者が利用者情報ＤＢ１Ｂの利用者情報に予め登録された者であるときに、その利用者を認証して識別する。
【００２６】
サイト情報取得手段１０Ｂは、サイト情報ＤＢ１Ａに格納されるサイト情報に対応したウェブサイトの閲覧の要求があったとき、そのウェブサイトに対応したサイト情報をサイト情報ＤＢ１Ａから取得する。
【００２７】
通信履歴取得手段１０Ｃは、サイト情報ＤＢ１Ａに格納されるサイト情報に対応したウェブサイトの閲覧の要求があったとき、そのウェブサイトに対する通信履歴及びそのウェブサイトのリンクに対する通信履歴を通信履歴情報ＤＢ１Ｃから取得する。
【００２８】
画像情報生成手段１０Ｄは、通信履歴取得手段１０Ｃが取得した通信履歴情報に基づいて、対応するウェブサイトに用いる後述する生成画像情報１１Ｂを生成する。
【００２９】
サイト情報編集手段１０Ｅは、サイト情報取得手段１０Ｂが取得したサイト情報に、画像情報生成手段１０Ｄが生成した生成画像情報１１Ｂを追加して編集し、後述する編集サイト情報１１Ｃを生成する。
【００３０】
送信手段１０Ｆは、サイト情報編集手段１０Ｅが生成した編集サイト情報１１Ｃをウェブサイトの閲覧の要求元の端末装置２に送信する。
【００３１】
通信履歴書込手段１０Ｇは、送信手段１０Ｆがサイト情報を閲覧の要求をした端末装置２に対して送信したとき、そのウェブサイトに通信の履歴があったとみなして通信履歴情報ＤＢ１Ｃに書き込む。
【００３２】
記憶部１１は、制御部１０を上述した各手段として機能させる画像情報生成プログラム１１Ａと、画像情報生成手段１０Ｄによって生成された生成画像情報１１Ｂと、サイト情報編集手段１０Ｅによって生成された編集サイト情報１１Ｃとを記憶する。
【００３３】
図３は、利用者情報ＤＢ１Ｂの格納する利用者情報の構成例を示す概略図である。
【００３４】
利用者情報１００Ｂは、登録された利用者を識別する利用者ＩＤ欄１０１Ｂと、利用者が属するグループを識別するグループＩＤ欄１０２Ｂとを有する。
【００３５】
図４は、通信履歴情報ＤＢ１Ｃの格納する通信履歴情報の構成例を示す概略図である。
【００３６】
通信履歴情報１００Ｃは、ウェブサイトごとに設けられ、そのウェブサイトに対応するサイト情報１００Ａにアクセスした利用者が使用する端末装置２のＩＰアドレスを示すＩＰアドレス欄１０１Ｃと、アクセスした利用者を示す利用者ＩＤ欄１０２Ｃと、アクセスした時刻を示す時刻欄１０３Ｃと、ウェブサイトが端末装置２から受け取ったｈｔｔｐコマンドを示すｈｔｔｐコマンド欄１０４Ｃとを有する。なお、これらの情報は、通信履歴書込手段１０Ｇによって書き込まれる。
【００３７】
図５（ａ）は、サイト情報１００Ａの一例を示す概略図、図５（ｂ）は、サイト情報１００Ａによって端末装置２に表示されるサイト表示画面の一例を示す概略図である。
【００３８】
図５（ａ）に示すサイト情報１００Ａは、図示するようにｈｔｍｌ言語を用いて記述される。
【００３９】
図５（ｂ）に示すサイト表示画面２０Ａは、図５（ａ）に示したサイト情報１００Ａに基づいて端末装置２で表示される画面であり、＜ｔｉｔｌｅ＞と＜／ｔｉｔｌｅ＞とで挟まれた情報を表示するタイトル２００と、＜ａ  ｈｒｅｆ＝“ａｉｕｅｏ／ｘｘｘｘｘｘ．ｈｔｍｌ”＞と＜／ａ＞とで挟まれた情報を表示し、「ａｉｕｅｏ／ｘｘｘｘｘｘ．ｈｔｍｌ」で示されるアドレスに移動するリンク２０１と、ウェブブラウザのウィンドウ上に表示される操作ボタン２０２と、リンク２０１や操作ボタン２０２等を選択操作するカーソル２０５とを有する。
【００４０】
図６（ａ）は、編集サイト情報１１Ｃの一例を示す概略図、図６（ｂ）は、編集サイト情報１１Ｃによって端末装置２に表示されるサイト表示画面の一例を示す概略図である。
【００４１】
図６（ａ）に示す編集サイト情報１１Ｃは、図示するようにｈｔｍｌ言語を用いて記述され、図５（ａ）に示したサイト情報１００Ａと比較して、画像情報生成手段１０Ｄによって生成された生成画像情報１１Ｂである「ｓｈａｄｏｗ０００１．ｇｉｆ」〜「ｓｈａｄｏｗ０００７．ｇｉｆ」が追加され、＜ａ  ｈｒｅｆ＝“ａｉｕｅｏ／ｘｘｘｘｘｘ．ｈｔｍｌ”＞と＜／ａ＞とで挟まれた情報が「１リンク１」に変更されている。
【００４２】
図６（ｂ）に示すサイト表示画面２０Ｂは、図６（ａ）に示した編集サイト情報１１Ｃに基づいて端末装置２で表示される画面であり、図５（ｂ）のサイト表示画面２０Ａと比較して、“ａｉｕｅｏ／ｘｘｘｘｘｘ．ｈｔｍｌ”のアドレスに移動するリンク２０１が「１リンク１」と短くなり、その左側が図６（ａ）に示した「ｓｈａｄｏｗ０００１．ｇｉｆ」〜「ｓｈａｄｏｗ０００７．ｇｉｆ」に対応する生成画像２０３に置き換わっている。
【００４３】
（通信状況表示システムの動作）
以下に、本発明の実施の形態における通信状況表示システム５の動作を各図を参照しつつ説明する。
【００４４】
まず、通信状況表示システム５を利用してウェブサイトの閲覧を所望する利用者は、端末装置２の操作部を操作してウェブサイトの閲覧を要求する。端末装置２は、画像情報生成サーバ装置１に対してサイト情報１００Ａの取得を要求する。画像情報生成サーバ装置１は、サイト情報１００Ａの取得要求を受け付けると、まず、画像情報生成プログラム１１Ａを起動し、画像情報生成サーバ装置１は、起動の要求を受けて画像情報生成プログラム１１Ａを起動する。
【００４５】
以下において、画像情報生成サーバ装置１の画像情報生成プログラム１１Ａが起動した後、画像情報生成プログラム１１Ａのウェブサイトの閲覧要求に対する動作の内容を説明する。
【００４６】
図７は、画像情報生成サーバ装置１の動作例を示すフローチャートである。
【００４７】
まず、端末装置２から画像情報生成プログラム１１Ａは、ウェブサイトの閲覧要求（サイト情報１００Ａの取得要求）があると（Ｓ１；Ｙｅｓ）、サイト情報取得手段１０Ｂは、取得が要求されたサイト情報１００Ａを取得するとともに（Ｓ４）、そのサイト情報１００Ａのリンクを抽出する（Ｓ３）。例えば、図５（ａ）に示す「ａｉｕｅｏ／ｘｘｘｘｘｘ．ｈｔｍｌ」を抽出する。
【００４８】
次に、通信履歴取得手段１０Ｃは、サイト情報取得手段１０Ｂが取得したサイト情報１００Ａに対応する通信履歴情報１００Ｃを通信履歴情報ＤＢ１Ｃから取得する（Ｓ４）。なお、通信履歴取得手段１０Ｃは、現在のアクセス状況を取得するため、通信履歴情報１００Ｃの通信履歴のうち、現在の時刻から予め定めた時間だけ前までのもの、例えば、１０分前までのものを取得する。
【００４９】
次に、画像情報生成手段１０Ｄは、通信履歴情報１００Ｃを参照して、そのウェブサイトのリンクに対するアクセス状況を、リンクのＵＲＬが含まれるｈｔｔｐコマンドの数によって推定し、その数に応じて生成画像情報１１Ｂを生成する（Ｓ５）。
【００５０】
例えば、図４において「ｃｇｉ−ｂｉｎ／ｓｔａｔｕｓ？」以降のアドレスがリンクのＵＲＬであるときも同一とみなし、４つの通信履歴を同一のリンクに対する通信としてカウントする。図６では、通信履歴が７つあった場合を示しており、画像「ｓｈａｄｏｗ０００１．ｇｉｆ」〜「ｓｈａｄｏｗ０００７．ｇｉｆ」が生成されている。なお、通信履歴の数に応じて画像の数ではなく、サイズや色、模様を変更してもよい。
【００５１】
次に、サイト情報編集手段１０Ｅは、サイト情報取得手段１０Ｂが取得したサイト情報１００Ａを画像情報生成手段１０Ｄが生成した生成画像情報１１Ｂを用いて編集し、編集サイト情報１１Ｃを生成する（Ｓ６）。
【００５２】
例えば、図５に示すサイト表示画面２０Ｂのリンク２０１の一部を、図６に示すように、画像情報生成手段１０Ｄが生成した画像情報「ｓｈａｄｏｗ０００１．ｇｉｆ」〜「ｓｈａｄｏｗ０００７．ｇｉｆ」を用いた生成画像２０３で置き換えて、リンク２０１に対応する通信状況を表示するとともに、カーソルで選択することのできるリンク２０１の範囲を狭める。
【００５３】
なお、生成画像２０３は、リンク２０１に対応するウェブサイトのアクセス限度が、例えば、１０アクセスであって、実際に１０アクセスされている状況では、リンク２０１のすべてを生成画像２０３で置き換える。つまり、アクセス限度に対するアクセスの割合で生成画像２０３を生成する。
【００５４】
次に、送信手段１０Ｆは、編集サイト情報１１Ｃをウェブサイトの閲覧を要求した端末装置２に対して送信する（Ｓ７）。
【００５５】
次に、端末装置２は、画像情報生成サーバ装置１から受信した編集サイト情報１１Ｃに基づいてウェブサイトのページ表示を行う。
【００５６】
［第２の実施の形態］
第２の実施の形態は、利用者認証手段１０Ａが利用者情報１００Ｂを用いて、端末装置２を使用してウェブサイトにアクセスする利用者を識別し、識別した結果に基づいて画像情報生成手段１０Ｄが画像情報を生成する点で異なる。
【００５７】
図８（ａ）は、第２の実施の形態に係る編集サイト情報１１Ｃの他の例を示す概略図、図８（ｂ）は、編集サイト情報１１Ｃによって端末装置２に表示されるサイト表示画面の他の例を示す概略図である。
【００５８】
図８（ａ）に示す編集サイト情報１１Ｃは、図示するようにｈｔｍｌ言語を用いて記述され、図６（ａ）と比較して、画像情報生成手段１０Ｄによって生成された生成画像情報１１Ｂが「ｂａｒ０００１．ｇｉｆ」〜「ｂａｒ０００７．ｇｉｆ」に変更されている。
【００５９】
図８（ｂ）に示すサイト表示画面２０Ｃは、図８（ａ）に示した編集サイト情報１１Ｃに基づいて端末装置２で表示される画面であり、図６（ｂ）のサイト表示画面２０Ｂと比較して、生成画像２０３が「ｂａｒ０００１．ｇｉｆ」〜「ｂａｒ０００７．ｇｉｆ」に対応する生成画像２０４に置き換わっている。生成画像２０４は、リンク２０１のＵＲＬにアクセスしている利用者のグループごとに生成画像２０４ａ〜２０４ｃに分けて表示される。
【００６０】
図９は、画像情報生成サーバ装置１の動作の他の例を示すフローチャートである。
【００６１】
まず、端末装置２から画像情報生成プログラム１１Ａは、ウェブサイトの閲覧要求があると（Ｓ１１；Ｙｅｓ）、利用者認証手段１０Ａによって端末装置２を使用している利用者が認証済か否かを確認し（Ｓ１２）、認証されていない利用者のとき（Ｓ１２；Ｎｏ）、その利用者の利用者ＩＤを取得し、利用者情報１００Ｂを参照して認証する（Ｓ１３）。また、既に認証されている利用者のときは（Ｓ１２；Ｙｅｓ）、ステップＳ１４へ進む。
【００６２】
次に、サイト情報取得手段１０Ｂは、取得が要求されたサイト情報１００Ａを取得するとともに（Ｓ１４）、そのサイト情報１００Ａのリンクを抽出する（Ｓ１５）。
【００６３】
次に、通信履歴取得手段１０Ｃは、サイト情報取得手段１０Ｂが取得したサイト情報１００Ａに対応する通信履歴情報１００Ｃを通信履歴情報ＤＢ１Ｃから取得する（Ｓ１６）。
【００６４】
次に、画像情報生成手段１０Ｄは、通信履歴情報１００Ｃを参照して、そのウェブサイトのリンクに対するアクセス状況を、アクセスしている利用者のグループごとに、ｈｔｔｐコマンドの数によって推定し、その数に応じて生成画像情報１１Ｂを生成する（Ｓ１７）。例えば、図８（ｂ）に示すように、グループごとのアクセス状況を反映した生成画像２０４ａ〜２０４ｃを作成する。なお、利用者ごとに画像情報を生成する構成にしてもよい。
【００６５】
次に、サイト情報編集手段１０Ｅは、サイト情報取得手段１０Ｂが取得したサイト情報１００Ａを画像情報生成手段１０Ｄが生成した生成画像情報１１Ｂを用いて編集し、編集サイト情報１１Ｃを生成する（Ｓ１８）。
【００６６】
次に、送信手段１０Ｆは、編集サイト情報１１Ｃをウェブサイトの閲覧を要求した端末装置２に対して送信する（Ｓ１９）。
【００６７】
［他の実施の形態］
なお、本発明は、上記実施の形態に限定されず、本発明の趣旨を逸脱しない範囲で種々な変形が可能である。
【００６８】
例えば、サイト情報ＤＢ１Ａに対するアクセスの限度に達した場合には、図６（ｂ）に示す生成画像２０３又は図８（ｂ）に示す生成画像２０４でリンク２０１の全てを置き換えてもよい。
【００６９】
また、サイト情報のみを扱う通常のウェブサーバに対して、本発明の画像情報生成サーバ装置１を適用してもよい。この場合、ウェブサーバに対してサイト情報の取得要求があったとき、ウェブサーバは、画像情報生成サーバ装置１に対してサイト情報とともに、サイト情報の編集要求を送信する。画像情報生成サーバ装置１は、編集サイト情報１１Ｃを生成し、ウェブサーバに送信する。次に、ウェブサーバは、編集サイト情報１１Ｃを取得要求を送信した送信元に対して送信する。
【００７０】
また、上記実施の形態で使用される利用者認証手段１０Ａと、通信履歴取得手段１０Ｃと、サイト情報取得手段１０Ｂと、画像情報生成手段１０Ｄと、サイト情報編集手段１０Ｅと、送信手段１０Ｆとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００７１】
１…画像情報生成サーバ装置、１Ａ…サイト情報ＤＢ、１Ｂ…利用者情報ＤＢ、１Ｃ…通信履歴情報ＤＢ、２…端末装置、３…ネットワーク、５…通信状況表示システム、１０…制御部、１０Ａ…利用者認証手段、１０Ｂ…サイト情報取得手段、１０Ｃ…通信履歴取得手段、１０Ｄ…画像情報生成手段、１０Ｅ…サイト情報編集手段、１０Ｆ…送信手段、１０Ｇ…通信履歴書込手段、１１…記憶部、１１Ａ…画像情報生成プログラム、１１Ｂ…生成画像情報、１１Ｃ…編集サイト情報、１２…通信部、２０Ａ…サイト表示画面、２０Ｂ…サイト表示画面、２０Ｃ…サイト表示画面、１００Ａ…サイト情報、１００Ｂ…利用者情報、１００Ｃ…通信履歴情報、１０１Ｂ…利用者ＩＤ欄、１０２Ｂ…グループＩＤ欄、１０１Ｃ…ＩＰアドレス欄、１０２Ｃ…利用者ＩＤ欄、１０３Ｃ…時刻欄、１０４Ｃ…ｈｔｔｐコマンド欄、２００…タイトル、２０１…リンク、２０２…操作ボタン、２０３…生成画像、２０４…生成画像、２０４ａ-２０４ｃ…生成画像、２０５…カーソル
【図１】
2011059759.tif 000003
【図２】
2011059759.tif 000004
【図３】
2011059759.tif 000005
【図４】
2011059759.tif 000006
【図５】
2011059759.tif 000007
【図７】
2011059759.tif 000008
【図９】
2011059759.tif 000009
【図６】
2011059759.tif 000010
【図８】
2011059759.tif 000011